(57)【要約】【課題】作業者の作業位置の変更を要せずに昇降路内の据付作業を実施できると共に、かご枠の組立てを迅速に行なうことができる。【解決手段】昇降路８内を昇降するかご枠９と、このかご枠９に連結される揚重ロープ１２を有する揚重装置１１を備えると共に、かご枠９は、かご床１と、このかご床１の両側方に立設され、本設品よりも短い寸法から成る一対の縦枠２と、これらの一対の縦枠２を連結するようにかご床１上に設けられ、揚重ロープ１２が取付けられる吊点を形成する補強材４とを有する。また、一対の縦枠２を連結する平面視コの字形状の手摺り６を設けると共に、手摺り６の上部に防護天井７を備えてある。【選択図】図２
2005162416.tif 000002
【特許請求の範囲】
【請求項１】
昇降路内を昇降するかご枠を備えたエレベータの据付装置において、
上記かご枠に連結される揚重ロープを有する揚重装置を備えると共に、
上記かご枠は、かご床と、このかご床の両側方に立設され、本設品よりも短い寸法から成る一対の縦枠と、これらの一対の縦枠を連結するように上記かご床上に設けられ、上記揚重ロープが取付けられる吊点を形成する補強材とを有することを特徴とするエレベータの据付装置。
【請求項２】
昇降路内を昇降するかご枠を備えたエレベータの据付装置において、
上記かご枠に連結される揚重ロープを有する揚重装置を備えると共に、
上記かご枠は、かご床と、このかご床の両側方に立設され、本設品よりも短い寸法から成る一対の縦枠と、これらの縦枠を連結するように上記かご床上に設けられる補強材とを有し、
このかご枠を吊る駆動ロープの一端部は、上記かご床下に配置されたかご下プーリに巻回されて昇降路頂部に固定されることを特徴とするエレベータの据付装置。
【請求項３】
上記請求項１または２記載の発明において、
上記一対の縦枠を連結する平面視コの字形状の手摺りを設けたことを特徴とするエレベータの据付装置。
【請求項４】
上記請求項３記載の発明において、
上記手摺りの上部に防護天井を備えたことを特徴とするエレベータの据付装置。
【発明の詳細な説明】
【技術分野】
【０００１】
本発明は、昇降内を昇降するかご枠を備え、昇降路内の機器の据付けに活用されるエレベータの据付装置に関する。
【背景技術】
【０００２】
この種の従来技術として、昇降内を昇降するかご枠を備えたものが提案されている。かご枠は、かご床と、このかご床の両側方に立設される一対の縦枠と、これらの縦枠の上端部を連結し、かご枠の吊点を形成する上枠と、縦枠の上端部近傍に配置される天井とを備えている。この従来技術は、昇降路内でかご枠を昇降させることにより、かご枠に乗った作業者が、昇降路内に各種の機器を据付けるようになっている（例えば、特許文献１参照。）。
【特許文献１】特開平０９−２２７０５６号公報（段落番号［００１６］〜［００２１］、図１，３）
【発明の開示】
【発明が解決しようとする課題】
【０００３】
上述した従来技術は、昇降路中間部ではかご床を足場として据付作業を行ない、昇降路頂部付近では、かご上を足場として据付作業が行なわれる。このために、作業者は、昇降路中間部と昇降路頂部付近とでは作業位置を変えなければならず、煩雑である。また上述した従来技術は、かご枠が本設用の縦枠の他、天井、上枠等を備えていることから、このかご枠に係る部材数が多く、取扱いが煩雑になってかご枠の組立てに時間がかかる。このために据付作業の開始時期が遅れ、据付工程全体に悪影響を及ぼす懸念がある。これらのことから、上述した従来技術は、据付作業の能率が低下しやすい問題がある。
【０００４】
本発明は、上述した従来技術における実状からなされたもので、その目的は、作業者の作業位置の変更を要せずに昇降路内の据付作業を実施できると共に、かご枠の組立てを迅速に行なうことができるエレベータの据付装置を提供することにある。
【課題を解決するための手段】
【０００５】
上記目的を達成するために、本発明は、昇降路内を昇降するかご枠を備えたエレベータの据付装置において、上記かご枠に連結される揚重ロープを有する揚重装置を備えると共に、上記かご枠は、かご床と、このかご床の両側方に立設され、本設品よりも短い寸法から成る一対の縦枠と、これらの一対の縦枠を連結するように上記かご床上に設けられ、上記揚重ロープが取付けられる吊点を形成する補強材とを有することを特徴としている。
【０００６】
また本発明は、昇降路内を昇降するかご枠を備えたエレベータの据付装置において、上記かご枠に連結される揚重ロープを有する揚重装置を備えると共に、上記かご枠は、かご床と、このかご床の両側方に立設され、本設品よりも短い寸法から成る一対の縦枠と、これらの縦枠を連結するように上記かご床上に設けられる補強材とを有し、このかご枠を吊る駆動ロープの一端部は、上記かご床下に配置されたかご下プーリに巻回されて昇降路頂部に固定されることを特徴としている。
【０００７】
上述のように構成した本発明は、かご枠の縦枠を本設品よりも短い寸法で形成し、かご床付近に吊点を配置したので、昇降路頂部付近でもかご床を足場として据付作業を実施でき、したがって、作業者の作業位置の変更を要することがない。また上述のように縦枠が本設品よりも短い寸法に形成してあるので、取り扱いが容易であり、据付作業に際してかご枠を迅速に組立てることができる。これにより据付作業の開始時期を早めることができる。
【０００８】
また本発明は上記発明において、上記一対の縦枠を連結する平面視コの字形状の手摺りを設けたことを特徴としている。
【０００９】
また本発明は上記発明において、上記手摺りの上部に防護天井を備えたことを特徴としている。
【発明の効果】
【００１０】
本発明は、本設品よりも短い寸法から成る一対の縦枠を備え、かご床付近にかご枠の吊点を設定したことにより、作業者の作業位置の変更を要せずに昇降路内の据付作業を実施できると共に、かご枠の組立てを迅速に行なうことができ、従来に比べて据付作業の能率を向上させることができる。
【発明を実施するための最良の形態】
【００１１】
以下、本発明に係るエレベータの据付装置を実施するための最良の形態を図に基づいて説明する。
【００１２】
図１は本発明に係るエレベータの据付装置の第１実施形態に備えられるかご枠を示す斜視図、図２は本発明に係るエレベータの据付装置の第１実施形態の全体構成を示す斜視図、図３は図１に示すかご枠に備えられる縦枠の構造を示す斜視図である。
【００１３】
はじめに、図１によって本発明の第１実施形態に備えられるかご枠９の構成について説明する。このかご枠９は、かご床１と、このかご床１の両側方に立設され、本設品よりも短く設定された一対の縦枠２とを備えている。これらの縦枠２は、例えば１５００ｍｍ前後の長さ寸法に設定してある。また、かご枠９は、縦枠２の上下端部近傍に配置されガイドレールに案内されるガイド部材３と、縦枠２間を連結するようにかご床１上に配置され、後述の揚重ロープの吊点を形成する補強材４と、一対の縦枠２の上端部を連結する平面視コ字状の手摺り６と、この手摺り６の上部に設けた防護天井７とを有している。
【００１４】
また、この第１実施形態は、図２に示す揚重装置１１も備えている。この揚重装置１１は、昇降路８の上部に設置され、その揚重ロープ１２はかご枠９の補強材４に連結されている。この揚重ロープ１２の駆動によりかご枠９が昇降し、このかご枠９のかご床１に乗った作業者が、昇降路８内の各機器の据付けを行なうようになっている。
【００１５】
この第１実施形態においては、図２に示すように、昇降路８の頂部に吊りビーム１３を設置し、この吊りビーム１３に揚重装置１１を取付けてある。また、かご枠９を昇降させる案内をするガイドレール２１を例えば昇降路８の全高に立設させてある。
【００１６】
揚重装置１１を稼動させる電源構成は、建屋電源から引いた動力電源ケーブル１４を昇降路８の上部まで敷設し、昇降路８の上部に設置した受電盤１５に接続してある。また、この受電盤１５から揚重装置１１までを動力ケーブル１６で連結し、受電盤１５からかご枠９上で昇降操作を行うための操作盤１７までを、ケーブル１５ａで配線してある。
【００１７】
操作盤１７には、かご枠９の昇降操作を行なう操作スイッチ１８がケーブル１８ａを介して実装されており、操作スイッチ１８からの信号は、ケーブル１８、操作盤１７、ケーブル１５ａ、受電盤１５、動力ケーブル１６を介して揚重装置１１へ伝達され、この揚重装置１１の駆動、あるいは停止が行なわれる。
【００１８】
安全装置として、昇降操作の誤りによるかご枠９の行き過ぎを防止するリミットスイッチ１９をかご枠９に設置してある。このリミットスイッチ１９の動作を検出する検出片２０は、ガイドレール２１に取付けてある。また、揚重ロープ１２の切断に対応させるために、調速機２２、テンションプーリ５、ロープ２３、及び非常止め装置２４を設けてある。さらに、かご枠９が昇降路８の最下部まで落下したときの衝撃を緩和させるために緩衝器２５を設けてある。
【００１９】
なお、上述したかご枠９の縦枠２は、例えば図３に示すように、上材１０と、中間材３３と、非常止め装置２４から成る分割構造の一部を構成している。すなわち、据付装置としては、上材１０と非常止め装置２４とを接続した構成としてあり、本設時に比べて中間材３３分だけ短くなっている。本設時には、上材１０と中間材３３とが、連結板３４とボルト３４ａで連結され、さらに中間材３３と非常止め装置２４とが接続されて、この第１実施形態における縦枠２よりも長い寸法となる。
【００２０】
このように構成した第１実施形態は、図２に示すように、縦枠２を本設品よりも短く設定し、かご枠９の吊点をかご床１上の補強材４に形成したことから、揚重装置１１の揚重ロープ１２の吊り上げ代が確保され、昇降路８の中間部分にあってはもちろんのこと、昇降路８の頂部付近でもかご床１を足場として据付作業を行なうことができる。すなわち、作業者は昇降路８のほぼ全高において作業位置の変更を要せずにこの据付作業を実施することができる。また、縦枠２を本設品よりも短く設定したことにより、構造が簡単になって取扱いも容易となり、かご枠の組立てを迅速に行なうことができる。これらのことから、据付作業の能率を向上させることができる。
【００２１】
図４は本発明の第２実施形態の全体構成を示す側断面図である。この第２実施形態は、本設品の巻上機２６、上部プーリビーム２７、上部プーリ２８、前述した第１実施形態におけるのと同等の構成のかご枠９、このかご枠９を案内するガイドレール２１、カウンタウェート枠２９、このカウンタウェート枠２９を案内するガイドレール３０を備えている。
【００２２】
また、かご枠９を吊る駆動ロープ３１の一端部は、かご床１の下方に配置されたかご下プーリ３２に巻回されて昇降路頂部に位置する上部プーリビーム２７に固定してある。その他の構成は、前述した第１実施形態と同等である。
【００２３】
このように構成した第２実施形態も、かご枠９の縦枠２の長さ寸法を第１実施形態と同等に本設品に比べて短く設定してあり、かご枠９の吊点をかご床１付近のかご下プーリ３２に形成してあることから、上述した第１実施形態と同等の効果が得られる。
【図面の簡単な説明】
【００２４】
【図１】本発明に係るエレベータの据付装置の第１実施形態に備えられるかご枠を示す斜視図である。
【図２】本発明に係るエレベータの据付装置の第１実施形態の全体構成を示す斜視図である。
【図３】図１に示すかご枠に備えられる縦枠の構造を示す斜視図である。
【図４】本発明の第２実施形態の全体構成を示す側断面図である。
【符号の説明】
【００２５】
１    かご床
２    縦枠
３    ガイド部材
４    補強材
５    テンションプーリ
６    手摺り
７    防護天井
８    昇降路
９    かご枠
１１    揚重装置
１２    揚重ロープ
１７    操作盤
１８    操作スイッチ
２１    ガイドレール
２７    上部プーリビーム
２８    上部プーリ
３１    駆動ロープ
３２    かご下プーリ
【図１】
2005162416.tif 000003
【図２】
2005162416.tif 000004
【図３】
2005162416.tif 000005
【図４】
2005162416.tif 000006